(57)【要約】【課題】ユーザが商品の価格を容易に把握できるようにする。【解決手段】デジタルサイネージ装置１によれば、コンテンツで使用する言語が設定され、商品が指定されると、制御部２３は、指定された商品に関するコンテンツを画像形成部２７及び音声出力部３３により出力し、設定された言語に基づいて、出力されているコンテンツによる商品の価格の出力を制御する。【選択図】図４
2017054271.tif 000002
【特許請求の範囲】
【請求項１】
商品に関するコンテンツを出力する出力手段と、
前記コンテンツで使用する言語を設定する設定手段と、
前記設定手段により設定された言語に基づいて、前記出力手段により出力されているコンテンツによる前記商品の価格の出力を制御する制御手段と、
を備えるコンテンツ出力装置。
【請求項２】
前記設定手段により設定された言語に対応する通貨の為替レートの情報を取得する取得手段を備え、  
前記制御手段は、前記取得手段により取得された為替レートの情報に基づいて、前記設定手段により設定された言語に対応する通貨による前記商品の価格を算出して前記出力手段に出力させる請求項１に記載のコンテンツ出力装置。
【請求項３】
前記取得手段は、前記設定手段による言語設定時に基づいた為替レートの情報を取得する請求項２に記載のコンテンツ出力装置。
【請求項４】
前記取得手段は、前記設定手段により言語が設定された日の為替レートの情報を取得する請求項３に記載のコンテンツ出力装置。
【請求項５】
前記コンテンツは、前記商品を説明する人物又はキャラクターの画像である第１画像と、前記商品の価格を含む商品情報を表示する第２画像と、前記商品を説明する音声とを含み、
前記第１画像は、前記音声に合わせて口を動かす人物又はキャラクターの動画像であり、
前記設定手段は、前記第１画像に対応する音声の言語を設定する請求項１〜４の何れか一項に記載のコンテンツ出力装置。
【請求項６】
前記第１画像は、前記設定手段により設定された言語に基づいて編集されたコンテンツである請求項５に記載のコンテンツ出力装置。
【請求項７】
前記制御手段は、前記設定手段により設定された言語に基づいて前記第２画像により表示する価格の表示を制御する請求項５又は６に記載のコンテンツ出力装置。
【請求項８】
前記出力手段により出力されているコンテンツの商品の情報を用紙に印刷する印刷手段を備える請求項１〜７の何れか一項に記載のコンテンツ出力装置。
【請求項９】
前記出力手段により出力されているコンテンツの商品の購入個数を入力する入力手段を備え、
前記制御手段は、前記入力手段により入力された購入個数及び前記設定手段により設定された言語に基づいて前記商品の購入金額を算出し、前記商品の情報、購入個数、及び算出された購入金額を前記印刷手段により印刷させる請求項８に記載のコンテンツ出力装置。
【請求項１０】
商品に関するコンテンツを出力する工程と、
前記コンテンツで使用する言語を設定する工程と、
前記設定された言語に基づいて、前記出力されているコンテンツによる前記商品の価格の出力を制御する工程と、
を含むコンテンツ出力方法。
【請求項１１】
商品に関するコンテンツを出力する出力手段を備えるコンテンツ出力装置に用いられるコンピュータを、
前記コンテンツで使用する言語を設定する設定手段、
前記設定手段により設定された言語に基づいて、前記出力手段により出力されているコンテンツによる前記商品の価格の出力を制御する制御手段、
として機能させるためのプログラム。
【発明の詳細な説明】
【技術分野】
【０００１】
本発明は、コンテンツ出力装置、コンテンツ出力方法及びプログラムに関する。
【背景技術】
【０００２】
従来、コンテンツに登場する人物等の輪郭の形状に形成されたスクリーンにコンテンツを投影することにより、閲覧者に対して印象を高めることができる映像出力装置搭載機器が知られている（例えば、特許文献１参照）。
【０００３】
また、近年、外国人観光客に対して商品の広告宣伝が行えるようにするために、コンテンツの出力言語を切り替え可能なコンテンツ出力装置も知られている。
【先行技術文献】
【特許文献】
【０００４】
【特許文献１】特開２０１１−１５０２２１号公報
【発明の概要】
【発明が解決しようとする課題】
【０００５】
ところで、特許文献１の機器等のコンテンツ出力装置で出力される商品説明のコンテンツには、商品の価格の情報が含まれるが、外国人にとってはそれが自国の通貨でどのくらいに相当するのかを感覚的に把握することが難しいという問題があった。
【０００６】
本発明の課題は、ユーザが商品の価格を容易に把握できるようにすることである。  
【課題を解決するための手段】
【０００７】
上記課題を解決するため、請求項１に記載の発明のコンテンツ出力装置は、
商品に関するコンテンツを出力する出力手段と、
前記コンテンツで使用する言語を設定する設定手段と、
前記設定手段により設定された言語に基づいて、前記出力手段により出力されているコンテンツによる前記商品の価格の出力を制御する制御手段と、
を備える。
【発明の効果】
【０００８】
本発明によれば、ユーザが商品の価格を容易に把握することが可能となる。
【図面の簡単な説明】
【０００９】
【図１】本実施形態におけるコンテンツ出力システムの全体構成例を示す図である。
【図２】図１のデジタルサイネージ装置の機能的構成を示すブロック図である。
【図３】図２のスクリーン部の概略構成を示す図である。
【図４】図２の制御部により実行されるコンテンツ出力処理を示すフローチャートである。
【図５】図４のステップＳ１０において印刷される内容の一例を示す図である。
【発明を実施するための形態】
【００１０】
以下、添付図面を参照して本発明に係る好適な実施形態を詳細に説明する。以下の実施形態では、本発明に係るコンテンツ出力装置をデジタルサイネージ装置１に適用した場合を例にとり説明する。なお、本発明は、図示例に限定されるものではない。
【００１１】
［コンテンツ出力システム１００の構成］
図１は、本発明の実施形態におけるコンテンツ出力システム１００の全体構成を示す図である。コンテンツ出力システム１００は、図１に示すように、店舗に設けられたデジタルサイネージ装置１と、為替レート収集装置２とを備えて構成されている。デジタルサイネージ装置１と為替レート収集装置２は、ＬＡＮ（Local Area Network）、インターネット等を含む通信ネットワークＮを介して通信接続可能に構成されている。なお、デジタルサイネージ装置１の台数は特に限定されない。
【００１２】
図２は、デジタルサイネージ装置１の主制御構成を示すブロック図である。
デジタルサイネージ装置１は、例えば、店舗で取り扱っている商品に関するコンテンツを出力する装置である。本実施形態において、デジタルサイネージ装置１は、日本円で売買を行う店舗に設置されているものとして説明する。
デジタルサイネージ装置１は、図２に示すように、コンテンツの映像光を照射する投影部２１と、投影部２１から照射された映像光を背面で受けて前面に投影するスクリーン部２２とを備えている。
【００１３】
まず、投影部２１について説明する。
投影部２１は、制御部２３と、プロジェクタ２４と、記憶部２５と、通信部２６と、計時部３０と、を備えている。プロジェクタ２４、記憶部２５、通信部２６、計時部３０は、図２に示すように制御部２３に接続されている。
【００１４】
制御部２３は、記憶部２５のプログラム記憶部２５１に記憶されている各種のプログラムを実行して所定の演算や各部の制御を行うＣＰＵとプログラム実行時の作業領域となるメモリとを備えている（いずれも図示略）。制御部２３は、プログラムとの協働により、後述するコンテンツ出力処理を始めとする各種処理を実行し、制御手段として機能する。また、通信部２６との協働により取得手段として機能する。
【００１５】
プロジェクタ２４は、制御部２３から出力された画像データを映像光に変換してスクリーン部２２に向けて照射する投影装置である。プロジェクタ２４は、例えば、アレイ状に配列された複数個（ＸＧＡの場合、横１０２４画素×縦７６８画素）の微小ミラーの各傾斜角度を個々に高速でオン／オフ動作して表示動作することでその反射光により光像を形成する表示素子であるＤＭＤ（デジタルマイクロミラーデバイス）を利用したＤＬＰ（Digital Light Processing）(登録商標)プロジェクタが適用可能である。
プロジェクタ２４は、画像形成部２７及び音声出力部３３とともに、出力手段を構成する。
【００１６】
記憶部２５は、ＨＤＤ（Hard Disk Drive）や不揮発性の半導体メモリ等により構成される。記憶部２５には、図２に示すように、プログラム記憶部２５１が設けられている。プログラム記憶部２５１には、制御部２３で実行されるシステムプログラムや、後述するコンテンツ出力処理を始めとする各種処理を実行するための処理プログラム、これらのプログラムの実行に必要なデータ等が記憶されている。
【００１７】
また、記憶部２５には、コンテンツ記憶部２５２が設けられている。コンテンツ記憶部２５２には、商品識別情報に対応付けて、その商品に関する複数言語のコンテンツのデータが記憶されている。本実施形態において、コンテンツは、商品を説明する人物又はキャラクター（本実施形態においては、人物とする）の動画データ（第１画像と呼ぶ）と、商品情報の画像データ（静止画又は動画。第２画像と呼ぶ。）と、人物の動画データに対応する音声データと、により構成されている。ここで、第１画像は、音声に合わせて口を動かす人物又はキャラクターの動画像であり、音声の言語に基づいて口を動かすように編集されたものである。
また、記憶部２５には、商品指定案内コンテンツのデータが記憶されている。商品指定案内コンテンツは、コンテンツによる説明対象となる商品を指定するための操作方法を案内するコンテンツであり、例えば、上記複数言語に対応するコンテンツのデータが記憶されている。
【００１８】
また、記憶部２５には、商品識別情報に対応付けて、商品の価格（日本円の価格）が記憶されている。
更に、記憶部２５には、デジタルサイネージ装置１でコンテンツを出力可能な複数言語のそれぞれに対応付けて、その言語が話されている国の通貨の情報が記憶されている。
【００１９】
通信部２６は、モデム、ルータ、ネットワークカード等により構成され、通信ネットワークＮに接続された外部機器との通信を行う。
【００２０】
計時部３０は、ＲＴＣ（Real Time Clock）等により構成され、現在日時を取得して制御部２３に出力する。
【００２１】
次に、スクリーン部２２について説明する。
図３は、スクリーン部２２の概略構成を示す正面図である。図３に示すようにスクリーン部２２には、画像形成部２７と、画像形成部２７を支持する台座２８とが備えられている。
【００２２】
画像形成部２７は、映像光の照射方向に対して略直交するように配置された、例えばアクリル板などの一枚の透光板２９に、フィルム状のフレネルレンズが積層された背面投影用のフィルムスクリーンが貼付されて構成されたスクリーンである。画像形成部２７は、商品の説明を行う人物又はキャラクターの動画（第１画像）を表示するための第１表示部２７１と、商品情報を示す画像（第２画像）を表示するための第２表示部２７２とにより構成されている。なお、図３においては、画像形成部２７にコンテンツが投影されている例を示している。
【００２３】
台座２８には、ボタン式の操作部３２と、音声を出力するスピーカなどの音声出力部３３と、非接触通信部３４と、プリンタ３５と、撮像部３６と、が設けられている。
【００２４】
操作部３２は、複数の操作ボタンを備え、操作ボタンの押下信号を検出して制御部２３に出力する。各操作ボタンには、設定手段としてコンテンツで使用する言語（具体的には、上述の第１画像に対応する音声の言語）を設定する機能や、商品購入を指示する機能を始めとする各種機能が割り当てられる。各操作ボタンに対応する表示領域３２ａには、その操作ボタンに割り当てられている機能が表示される。
【００２５】
非接触通信部３４は、ＮＦＣ（Near Field Communication）の通信方式により無線通信を行う。例えば、非接触通信部３４は、商品に貼付され、商品識別情報が書き込まれたＮＦＣチップ（図示せず）と無線通信を行うことにより商品識別情報を取得して制御部２３に出力する。
【００２６】
プリンタ３５は、制御部２３からの指示に従って用紙に印刷を行い、排出口３５１から出力する。
【００２７】
撮像部３６は、画像形成部２７に対向する空間の画像を撮影して撮影画像を生成する。撮像部３６は、図示は省略するが、光学系及び撮像素子を備えるカメラと、カメラを制御する撮像制御部とを備えている。撮像素子は、例えば、ＣＣＤ（Charge Coupled Device）やＣＭＯＳ（Complementary Metal-oxide Semiconductor）等のイメージセンサであり、光学系を通過した光学像を２次元の画像信号に変換する。
【００２８】
操作部３２、音声出力部３３、非接触通信部３４、プリンタ３５、撮像部３６は、図２に示すように制御部２３に接続されている。
【００２９】
為替レート収集装置２は、リアルタイムに各通貨の為替レートの情報を収集して記憶する装置である。為替レート収集装置２は、通信ネットワークＮを介してデジタルサイネージ装置１と通信可能であり、デジタルサイネージ装置１からの要求に応じて為替レートの情報を読み出して送信する。
【００３０】
［デジタルサイネージ装置１の動作］
次に、デジタルサイネージ装置１の動作について説明する。
図４に、デジタルサイネージ装置１において実行されるコンテンツ出力処理のフローチャートを示す。コンテンツ出力処理は、デジタルサイネージ装置１の電源がＯＮの間、制御部２３とプログラム記憶部２５１に記憶されているプログラムとの協働により実行される。
【００３１】
まず、制御部２３は、コンテンツ記憶部２５２から商品指定案内コンテンツのデータを読み出してプロジェクタ２４及び音声出力部３３に出力し、画像形成部２７及び音声出力部３３により商品指定案内コンテンツを出力させる（ステップＳ１）。
本実施形態において、デジタルサイネージ装置１は、ユーザにより指定された商品を説明するコンテンツを出力するものであり、ステップＳ１では、説明対象となる商品を指定する際の操作案内を出力する。ここでは、デフォルト設定されている言語（例えば、日本語）による商品指定案内コンテンツが出力される。
【００３２】
次いで、制御部２３は、操作部３２により言語設定操作が行われたか否かが判断される（ステップＳ２）。
操作部３２により言語設定操作が行われていないと判断した場合（ステップＳ２；ＮＯ）、制御部２３は、ステップＳ４に移行する。
操作部３２により言語設定操作が行われたと判断した場合（ステップＳ２；ＹＥＳ）、制御部２３は、コンテンツで使用する言語を設定された言語に切り替え（ステップＳ３）、ステップＳ４に移行する。即ち、制御部２３は、設定された言語に対応する商品指定案内コンテンツのデータをコンテンツ記憶部２５２から読み出してプロジェクタ２４及び音声出力部３３に出力し、設定された言語による商品指定案内コンテンツを画像形成部２７及び音声出力部３３により出力させる。
【００３３】
ステップＳ４において、制御部２３は、商品が指定されたか否かを判断する（ステップＳ４）。
本実施形態において、各商品には、その商品の商品識別情報が書き込まれたＮＦＣチップが貼付されており、ユーザが商品を非接触通信部３４にかざすと、非接触通信部３４が商品に貼付されたＮＦＣチップから商品識別情報を読み取って制御部２３に出力する。制御部２３は、非接触通信部３４により商品識別情報が入力された場合に、商品が指定されたと判断する。
【００３４】
商品が指定されていないと判断した場合（ステップＳ４；ＮＯ）、制御部２３は、ステップＳ１に戻る。
【００３５】
一方、商品が指定されたと判断した場合（ステップＳ４；ＹＥＳ）、制御部２３は、設定された言語による指定された商品に対応するコンテンツのデータをコンテンツ記憶部２５２から読み出してプロジェクタ２４及び音声出力部３３に出力し、指定された商品に関するコンテンツを設定された言語で画像形成部２７及び音声出力部３３により出力させる（ステップＳ５）。
具体的には、商品を説明する人物の画像である第１画像を第１表示部２７１に表示させ、商品情報を示す第２画像を第２表示部２７２に表示させ、第１画像に対応する音声（設定された言語による音声）を音声出力部３３に出力させる。
【００３６】
次いで、制御部２３は、設定された言語に基づく価格を画像形成部２７の第２表示部２７２に表示させる（ステップＳ６）。
例えば、制御部２３は、第２画像において商品情報と重ならない位置に商品の価格（日本円）を合成して第２表示部２７２に表示させるとともに、設定された言語の国の通貨の為替レートを通信部２６を介して為替レート収集装置２から取得して、設定された言語の国の通貨による指定された商品の価格を算出し、第２画像において商品情報と重ならない位置に合成して第２表示部２７２に表示させる（図３参照）。なお、設定された言語が日本語である場合には、日本円の価格のみが表示される。また、設定された言語に対応する通貨が複数存在する場合は、その全ての通貨による商品の価格を表示してもよいし、操作部３２により選択された通貨による商品の価格を表示することとしてもよい。
【００３７】
次いで、制御部２３は、操作部３２により商品の購入が指示されたか否かを判断する（ステップＳ７）。ここで、例えば、商品に関するコンテンツの出力中、操作部３２の操作ボタンの１つには、購入を指示する機能が割り当てられており、表示領域３２ａのこの操作ボタンに対応する位置には、「購入する」等の文字が表示されている。
【００３８】
商品の購入が指示されていないと判断した場合（ステップＳ７；ＮＯ）、制御部２３は、ステップＳ１１に移行する。
【００３９】
商品の購入が指示されたと判断した場合（ステップＳ７；ＹＥＳ）、制御部２３は、操作部３２から購入個数の入力を受け付ける（ステップＳ８）。ステップＳ８においては、例えば、操作部３２の操作ボタンに購入個数の選択機能（例えば、左から順に、購入個数１、購入個数２、購入個数３の選択機能）や次の段階の購入個数への切り替えを指示する機能（例えば、購入個数４以上を選択するための次へボタン）を割り当てて、購入個数の入力を受け付ける。
【００４０】
購入個数が入力されると、制御部２３は、日本円及び設定された言語に対応する通貨での購入金額を算出する（ステップＳ９）。そして、プリンタ３５により、商品情報、購入個数、及び日本円と設定された言語に対応する通貨での購入金額を用紙に印刷させ（ステップＳ１０）、ステップＳ１１に移行する。
【００４１】
図５に、ステップＳ１０において印刷される内容の一例を示す。図５に示すように、ステップＳ１０では、商品情報（△△−○○○○）、購入個数（×３）、及び日本円と設定された言語に対応する通貨での購入金額が記載された用紙が出力される。そのため、ユーザは、購入金額が自国の通貨でどのくらいに相当するのかを容易に把握することが可能となる。また、購入したい商品の商品情報、購入個数が印刷された紙が出力されるので、日本語が話せない外国人ユーザであっても、その用紙をレジにもっていくだけで、商品を購入することができる。
【００４２】
ステップＳ１１において、制御部２３は、指定された商品に関するコンテンツの出力が終了したか否かを判断する（ステップＳ１１）。
コンテンツの出力が終了していないと判断した場合（ステップＳ１１；ＮＯ）、制御部２３は、ステップＳ７に戻る。
コンテンツの出力が終了したと判断した場合（ステップＳ１１；ＹＥＳ）、制御部２３は、ステップＳ１に戻る。
【００４３】
制御部２３は、デジタルサイネージ装置１の電源がＯＮである間、ステップＳ１〜ステップＳ１１を繰り返し実行する。
【００４４】
以上説明したように、本実施形態におけるデジタルサイネージ装置１によれば、操作部３２の操作によりコンテンツで使用する言語が設定され、商品が指定されると、制御部２３は、指定された商品に関するコンテンツを画像形成部２７及び音声出力部３３により出力し、設定された言語に基づいて、出力されているコンテンツによる商品の価格の出力を制御する。
従って、ユーザが商品の価格を容易に把握できるようにすることができる。
【００４５】
例えば、制御部２３は、設定された言語に対応する通貨の為替レートの情報を通信部２６を介して為替レート収集装置２から取得し、取得された為替レートの情報に基づいて、設定された言語に対応する通貨による商品の価格を算出して画像形成部２７により出力させる。
従って、ユーザが商品の価格が自国の通貨でどのくらいに相当するのかを容易に把握することが可能となる。
【００４６】
例えば、言語設定時の為替レートの情報を為替レート収集装置２から取得することで、商品の価格が現時点での自国の通貨でどのくらいに相当するのかをユーザが把握することが可能となる。
【００４７】
また、出力するコンテンツは、商品を説明する人物又はキャラクターの画像である第１画像と、商品の価格を含む商品情報を表示する第２画像と、商品を説明する音声とを含み、第１画像は、音声に合わせて口を動かす人物又はキャラクターの動画像であり、操作部３２により、第１画像に対応する音声の言語を設定することが可能である。従って、あたかも設定された言語で人物又はキャラクターが商品の説明をしているかのように感じられるコンテンツを出力することができるので、コンテンツの印象を高めることができる。
【００４８】
また、人物又はキャラクターの画像を、設定された言語に基づいて口を動かすように編集されたコンテンツとすることで、違和感のない商品説明のコンテンツを出力することが可能となる。
【００４９】
また、設定された言語に基づいて第２画像により表示する価格の表示を制御することで、ユーザが商品の価格を視覚により容易に把握することが可能となる。
【００５０】
また、出力されているコンテンツの商品の情報をプリンタ３５により用紙に印刷することで、言葉を理解できない外国人であっても、その用紙を店員に見せることにより、購入したい商品を店員に伝えることが可能となる。また、例えば、出力されているコンテンツの商品の購入個数を操作部３２により入力可能とし、入力された購入個数及び設定された言語に基づいて商品の購入金額を算出し、商品の情報、購入個数、及び算出された購入金額をプリンタ３５により用紙に印刷することで、ユーザがその用紙を店員に見せるだけで商品を購入することが可能となる。また、ユーザが購入金額を容易に把握することが可能となる。
【００５１】
なお、上記実施形態における記述内容は、本発明に係るコンテンツ出力システム及びデジタルサイネージ装置の好適な一例であり、これに限定されるものではない。
【００５２】
例えば、上記実施形態においては、ＮＦＣ等の非接触通信部３４を用いてコンテンツの説明対象とする商品を指定する場合を例にとり説明したが、商品指定の手法はこれに限定されるものではない。例えば、デジタルサイネージ装置１がバーコードリーダーを備える構成とし、商品に表示されているバーコード（商品識別情報を示すバーコード）をバーコードリーダーにより読み取ることにより、商品を指定することとしてもよい。また、撮像部３６により商品を撮像し、得られた撮像画像から画像認識により指定された商品を特定することとしてもよい。また、操作部３２の操作により商品を指定することとしてもよい。
【００５３】
また、上記実施形態においては、言語設定操作が行われた場合に、設定された言語に基づいて指定された商品の価格を算出するタイミングで為替レート収集装置２から為替レートの情報を取得することとして説明したが、為替レートの情報の取得タイミングは、これに限定されない。例えば、毎日の電源投入時にデジタルサイネージ装置１で使用可能な言語に対応する全ての通貨の為替レートの情報を為替レート収集装置２から取得して記憶部２５に記憶しておくこととしてもよい。即ち、言語設定操作がされた日の為替レートを取得するのであれば、その細かなタイミング等は特に限定されない。
【００５４】
また、上記実施形態においては、指定した商品のコンテンツの出力が終了した後、デフォルトの言語に戻して商品指定案内コンテンツを出力することとして説明したが、デフォルト以外の言語設定がされている場合は、設定されている言語で商品指定案内コンテンツを出力することとしてもよい。
【００５５】
また、上記実施形態においては、商品情報を表示する第２画像に自動的にユーザが設定した言語に対応する通貨での価格を含む価格情報を表示することとしたが、操作部３２によるユーザの価格表示指示操作に応じて価格情報を表示することとしてもよい。
また、上記実施形態においては、価格の情報を表示する場合を例にとり説明したが、価格の情報を音声により出力することとしてもよい。
【００５６】
また、上記実施形態においては、本発明をプロジェクタからスクリーンに画像を投影することで画像の表示を行うデジタルサイネージ装置に適用した場合を例にとり説明したが、例えば、液晶ディスプレイ、プラズマディスプレイ等、他の表示装置を有するコンテンツ出力装置に適用しても同様の効果を奏することができ、この例に限定されない。
【００５７】
その他、コンテンツ出力システム及びデジタルサイネージ装置の細部構成及び細部動作に関しても、発明の趣旨を逸脱することのない範囲で適宜変更可能である。
【００５８】
本発明のいくつかの実施形態を説明したが、本発明の範囲は、上述の実施形態に限定するものではなく、特許請求の範囲に記載された発明の範囲とその均等の範囲を含む。
以下に、この出願の願書に最初に添付した特許請求の範囲に記載した発明を付記する。付記に記載した請求項の項番は、この出願の願書に最初に添付した特許請求の範囲の通りである。
［付記］
＜請求項１＞
商品に関するコンテンツを出力する出力手段と、
前記コンテンツで使用する言語を設定する設定手段と、
前記設定手段により設定された言語に基づいて、前記出力手段により出力されているコンテンツによる前記商品の価格の出力を制御する制御手段と、
を備えるコンテンツ出力装置。
＜請求項２＞
前記設定手段により設定された言語に対応する通貨の為替レートの情報を取得する取得手段を備え、  
前記制御手段は、前記取得手段により取得された為替レートの情報に基づいて、前記設定手段により設定された言語に対応する通貨による前記商品の価格を算出して前記出力手段に出力させる請求項１に記載のコンテンツ出力装置。
＜請求項３＞
前記取得手段は、前記設定手段による言語設定時に基づいた為替レートの情報を取得する請求項２に記載のコンテンツ出力装置。
＜請求項４＞
前記取得手段は、前記設定手段により言語が設定された日の為替レートの情報を取得する請求項３に記載のコンテンツ出力装置。
＜請求項５＞
前記コンテンツは、前記商品を説明する人物又はキャラクターの画像である第１画像と、前記商品の価格を含む商品情報を表示する第２画像と、前記商品を説明する音声とを含み、
前記第１画像は、前記音声に合わせて口を動かす人物又はキャラクターの動画像であり、
前記設定手段は、前記第１画像に対応する音声の言語を設定する請求項１〜４の何れか一項に記載のコンテンツ出力装置。
＜請求項６＞
前記第１画像は、前記設定手段により設定された言語に基づいて編集されたコンテンツである請求項５に記載のコンテンツ出力装置。
＜請求項７＞
前記制御手段は、前記設定手段により設定された言語に基づいて前記第２画像により表示する価格の表示を制御する請求項５又は６に記載のコンテンツ出力装置。
＜請求項８＞
前記出力手段により出力されているコンテンツの商品の情報を用紙に印刷する印刷手段を備える請求項１〜７の何れか一項に記載のコンテンツ出力装置。
＜請求項９＞
前記出力手段により出力されているコンテンツの商品の購入個数を入力する入力手段を備え、
前記制御手段は、前記入力手段により入力された購入個数及び前記設定手段により設定された言語に基づいて前記商品の購入金額を算出し、前記商品の情報、購入個数、及び算出された購入金額を前記印刷手段により印刷させる請求項８に記載のコンテンツ出力装置。
＜請求項１０＞
商品に関するコンテンツを出力する工程と、
前記コンテンツで使用する言語を設定する工程と、
前記設定された言語に基づいて、前記出力されているコンテンツによる前記商品の価格の出力を制御する工程と、
を含むコンテンツ出力方法。
＜請求項１１＞
商品に関するコンテンツを出力する出力手段を備えるコンテンツ出力装置に用いられるコンピュータを、
前記コンテンツで使用する言語を設定する設定手段、
前記設定手段により設定された言語に基づいて、前記出力手段により出力されているコンテンツによる前記商品の価格の出力を制御する制御手段、
として機能させるためのプログラム。
【符号の説明】
【００５９】
１００  コンテンツ出力システム
１  デジタルサイネージ装置
２１  投影部
２２  スクリーン部
２３  制御部
２４  プロジェクタ
２５  記憶部
２５１  プログラム記憶部
２５２  コンテンツ記憶部
２６  通信部
２７  画像形成部
２７１  第１表示部
２７２  第２表示部
２８  台座
２９  透光板
３２  操作部
３３  音声出力部
３４  非接触通信部
３５  プリンタ
３６  撮像部
２  為替レート収集装置
【図１】
2017054271.tif 000003
【図２】
2017054271.tif 000004
【図３】
2017054271.tif 000005
【図４】
2017054271.tif 000006
【図５】
2017054271.tif 000007